(57)【要約】【課題】  利用者に応じて印刷設定の初期値を容易に切り替えることができる画像形成装置および印刷設定初期化プログラムを提供する。【解決手段】  画像形成装置は、ＲＡＭと、印刷データを受信する通信部と、記録媒体に画像を印刷するプリンターとを備え、通信部によって受信された印刷データに基づいてプリンターによって記録媒体に印刷が実行される場合に適用される印刷設定初期値を、利用者に関連付けてＲＡＭに登録し、印刷データの送信者に関連付けられてＲＡＭに登録されている印刷設定初期値を適用する（Ｓ１４４）ことを特徴とする。【選択図】  図７
2019081319.tif 000002
【特許請求の範囲】
【請求項１】
記憶デバイスと、
印刷データを受信する通信デバイスと、
記録媒体に画像を印刷する印刷デバイスと、
前記通信デバイスによって受信された前記印刷データに基づいて前記印刷デバイスによって記録媒体に印刷が実行される場合に適用される印刷設定の初期値を、利用者に関連付けて前記記憶デバイスに登録する印刷設定初期値登録手段と、
前記印刷データの送信者に関連付けられて前記記憶デバイスに登録されている前記初期値を適用する印刷設定初期値適用手段と
を備えることを特徴とする画像形成装置。
【請求項２】
前記記憶デバイスは、電力が供給されていない場合に情報を保持不可能であり、前記画像形成装置に電力が供給されていない場合に電力が供給されないことを特徴とする請求項１に記載の画像形成装置。
【請求項３】
前記画像形成装置に電力が供給されていない状態でも情報を保持可能な不揮発性記憶部を備え、
前記不揮発性記憶部は、利用者に関連付けられていない前記初期値を記憶し、
前記印刷設定初期値登録手段は、前記画像形成装置に電力が供給されていない状態から前記画像形成装置に電力が供給されている状態に切り替わった場合に、前記不揮発性記憶部に記憶されている前記初期値を全ての利用者に関連付けて前記記憶デバイスに登録することを特徴とする請求項２に記載の画像形成装置。
【請求項４】
前記印刷設定初期値登録手段は、前記初期値が複数の利用者に共通である場合、前記複数の利用者に関連付けた１つの前記初期値を前記記憶デバイスに登録することを特徴とする請求項１から請求項３までのいずれかに記載の画像形成装置。
【請求項５】
記憶デバイスと、
印刷データを受信する通信デバイスと、
記録媒体に画像を印刷する印刷デバイスと
を備える画像形成装置に、
前記通信デバイスによって受信された前記印刷データに基づいて前記印刷デバイスによって記録媒体に印刷が実行される場合に適用される印刷設定の初期値を、利用者に関連付けて前記記憶デバイスに登録する印刷設定初期値登録手段と、
前記印刷データの送信者に関連付けられて前記記憶デバイスに登録されている前記初期値を適用する印刷設定初期値適用手段と
を実現させることを特徴とする印刷設定初期化プログラム。
【発明の詳細な説明】
【技術分野】
【０００１】
本発明は、通信デバイスによって受信された印刷データに基づいて印刷デバイスによって記録媒体に印刷が実行される場合に適用される印刷設定の初期値を設定する画像形成装置および印刷設定初期化プログラムに関する。
【背景技術】
【０００２】
従来、電池から電力が供給されることによって情報が消失しないようにバックアップされているＳＲＡＭ（Ｓｔａｔｉｃ  Ｒａｎｄｏｍ  Ａｃｃｅｓｓ  Ｍｅｍｏｒｙ）に複写モードを暗証情報に関連付けて登録し、暗証情報が入力された場合に、入力された暗証情報に関連付けられてＳＲＡＭに登録されている複写モードを適用する複写装置が知られている（例えば、特許文献１参照。）。
【先行技術文献】
【特許文献】
【０００３】
【特許文献１】特開平６−２４５０００号公報
【発明の概要】
【発明が解決しようとする課題】
【０００４】
しかしながら、特許文献１に記載された複写装置においては、複写モードを切り替えるために暗証情報が入力されなければならないので、作業性が悪いという問題がある。
【０００５】
そこで、本発明は、利用者に応じて印刷設定の初期値を容易に切り替えることができる画像形成装置および印刷設定初期化プログラムを提供することを目的とする。
【課題を解決するための手段】
【０００６】
本発明の画像形成装置は、記憶デバイスと、印刷データを受信する通信デバイスと、記録媒体に画像を印刷する印刷デバイスと、前記通信デバイスによって受信された前記印刷データに基づいて前記印刷デバイスによって記録媒体に印刷が実行される場合に適用される印刷設定の初期値を、利用者に関連付けて前記記憶デバイスに登録する印刷設定初期値登録手段と、前記印刷データの送信者に関連付けられて前記記憶デバイスに登録されている前記初期値を適用する印刷設定初期値適用手段とを備えることを特徴とする。
【０００７】
この構成により、本発明の画像形成装置は、通信デバイスによって受信された印刷データに基づいて印刷デバイスによって記録媒体に印刷が実行される場合に適用される印刷設定の初期値を、利用者に関連付けて記憶デバイスに登録し、印刷データの送信者に関連付けられて記憶デバイスに登録されている印刷設定の初期値を適用するので、利用者に応じて印刷設定の初期値を容易に切り替えることができる。
【０００８】
本発明の画像形成装置において、前記記憶デバイスは、電力が供給されていない場合に情報を保持不可能であり、前記画像形成装置に電力が供給されていない場合に電力が供給されなくても良い。
【０００９】
この構成により、本発明の画像形成装置は、記憶デバイスに登録されている印刷設定の初期値が何らかの不具合によって変更できなくなった場合であっても、画像形成装置の状態を電力が供給されていない状態にすることによって、記憶デバイスに登録されている印刷設定の初期値を消去することができるので、利便性を向上することができる。
【００１０】
本発明の画像形成装置は、前記画像形成装置に電力が供給されていない状態でも情報を保持可能な不揮発性記憶部を備え、前記不揮発性記憶部は、利用者に関連付けられていない前記初期値を記憶し、前記印刷設定初期値登録手段は、前記画像形成装置に電力が供給されていない状態から前記画像形成装置に電力が供給されている状態に切り替わった場合に、前記不揮発性記憶部に記憶されている前記初期値を全ての利用者に関連付けて前記記憶デバイスに登録しても良い。
【００１１】
この構成により、本発明の画像形成装置は、電力が供給されていない状態から電力が供給されている状態に切り替えられることによって、利用者に関連付けられた印刷設定の初期値を記憶デバイスに登録することができるので、利用者に関連付けられた印刷設定の初期値を記憶デバイスに容易に登録することができる。
【００１２】
本発明の画像形成装置において、前記印刷設定初期値登録手段は、前記初期値が複数の利用者に共通である場合、前記複数の利用者に関連付けた１つの前記初期値を前記記憶デバイスに登録しても良い。
【００１３】
この構成により、本発明の画像形成装置は、印刷設定の初期値が複数の利用者に共通である場合、これらの利用者のそれぞれに１つずつ関連付けた複数の印刷設定の初期値を記憶デバイスに登録するのではなく、これらの利用者に関連付けた１つの印刷設定の初期値を記憶デバイスに登録するので、記憶デバイスにおいて全ての利用者の印刷設定の初期値の合計のサイズを抑えることができる。
【００１４】
本発明の印刷設定初期化プログラムは、記憶デバイスと、印刷データを受信する通信デバイスと、記録媒体に画像を印刷する印刷デバイスとを備える画像形成装置に、前記通信デバイスによって受信された前記印刷データに基づいて前記印刷デバイスによって記録媒体に印刷が実行される場合に適用される印刷設定の初期値を、利用者に関連付けて前記記憶デバイスに登録する印刷設定初期値登録手段と、前記印刷データの送信者に関連付けられて前記記憶デバイスに登録されている前記初期値を適用する印刷設定初期値適用手段とを実現させることを特徴とする。
【００１５】
この構成により、本発明の印刷設定初期化プログラムを実行する画像形成装置は、通信デバイスによって受信された印刷データに基づいて印刷デバイスによって記録媒体に印刷が実行される場合に適用される印刷設定の初期値を、利用者に関連付けて記憶デバイスに登録し、印刷データの送信者に関連付けられて記憶デバイスに登録されている印刷設定の初期値を適用するので、利用者に応じて印刷設定の初期値を容易に切り替えることができる。
【発明の効果】
【００１６】
本発明の画像形成装置および印刷設定初期化プログラムは、利用者に応じて印刷設定の初期値を容易に切り替えることができる。
【図面の簡単な説明】
【００１７】
【図１】本発明の一実施の形態に係るシステムのブロック図である。
【図２】ＭＦＰである場合の、図１に示す画像形成装置のブロック図である。
【図３】図２に示す制御部によって実現される機能の一例を示す図である。
【図４】図１に示すコンピューターのブロック図である。
【図５】電源がＯＮにされた場合の図２に示す画像形成装置の動作のフローチャートである。
【図６】特定の利用者に関連付けた印刷設定初期値をコンピューターからの印刷設定初期値通知データに基づいてＲＡＭに登録する場合の図２に示す画像形成装置の動作のフローチャートである。
【図７】印刷データに基づいて印刷を実行する場合の図２に示す画像形成装置の動作のフローチャートである。
【発明を実施するための形態】
【００１８】
以下、本発明の実施の形態について、図面を用いて説明する。
【００１９】
まず、本発明の一実施の形態に係るシステムの構成について説明する。
【００２０】
図１は、本実施の形態に係るシステム１０のブロック図である。
【００２１】
図１に示すように、システム１０は、画像形成装置２０と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、画像形成装置２０と通信可能なコンピューター４０とを備えている。
【００２２】
画像形成装置２０は、例えば、ＭＦＰ（Ｍｕｌｔｉｆｕｎｃｔｉｏｎ  Ｐｅｒｉｐｈｅｒａｌ）、プリンター専用機である。
【００２３】
コンピューター４０は、例えば、ＰＣ（Ｐｅｒｓｏｎａｌ  Ｃｏｍｐｕｔｅｒ）によって構成されても良い。
【００２４】
図２は、ＭＦＰである場合の画像形成装置２０のブロック図である。
【００２５】
図２に示す画像形成装置２０は、種々の操作が入力される例えばボタンなどの入力デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、画像形成装置２０全体を制御する制御部３０とを備えている。
【００２６】
記憶部２７は、通信部２６によって受信された印刷データに基づいてプリンター２３によって記録媒体に印刷が実行される場合に適用される印刷設定の初期値（以下「印刷設定初期値」という。）を設定するための印刷設定初期化プログラム２７ａを記憶している。印刷設定初期化プログラム２７ａは、例えば、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリーなどの外部の記憶媒体から画像形成装置２０に追加でインストールされても良いし、ネットワーク上から画像形成装置２０に追加でインストールされても良い。
【００２７】
なお、印刷設定初期値は、例えば、記録媒体を収納している図示していない複数のカセットのうち、いずれのカセットから記録媒体をプリンター２３に供給するかという設定の設定値、プリンター２３による記録媒体への印刷の原点位置の補正値の設定値など、プリンター２３による印刷に関する多数の設定値を含んでいる。
【００２８】
記憶部２７は、利用者に関連付けられていない印刷設定初期値の一部としての標準印刷設定初期値２７ｂを記憶しており、本発明の不揮発性記憶部の一部を構成している。標準印刷設定初期値２７ｂは、例えば、記憶部２７としての不揮発性の半導体メモリーに記憶されている。
【００２９】
制御部３０は、例えば、ＣＰＵ（Ｃｅｎｔｒａｌ  Ｐｒｏｃｅｓｓｉｎｇ  Ｕｎｉｔ）３１と、プログラムおよび各種のデータを記憶しているＲＯＭ（Ｒｅａｄ  Ｏｎｌｙ  Ｍｅｍｏｒｙ）３２と、ＣＰＵ３１の作業領域として用いられるＲＡＭ（Ｒａｎｄｏｍ  Ａｃｃｅｓｓ  Ｍｅｍｏｒｙ）３３とを備えている。ＣＰＵ３１は、記憶部２７またはＲＯＭ３２に記憶されているプログラムを実行する。
【００３０】
ＲＯＭ３２は、利用者に関連付けられていない印刷設定初期値の一部としての標準印刷設定初期値３２ａを記憶しており、本発明の不揮発性記憶部の一部を構成している。標準印刷設定初期値３２ａは、例えば、ＲＯＭ３２としてのマスクＲＯＭに記憶されている。なお、標準印刷設定初期値３２ａは、利用者に関連付けられていない印刷設定初期値のうち、記憶部２７に記憶されている標準印刷設定初期値２７ｂ以外の部分である。
【００３１】
ＲＡＭ３３は、電力が供給されていない場合に情報を保持不可能であり、画像形成装置２０に電力が供給されていない場合に電力が供給されない揮発性の記憶デバイスである。ＲＡＭ３３は、例えば、ＤＲＡＭ（Ｄｙｎａｍｉｃ  Ｒａｎｄｏｍ  Ａｃｃｅｓｓ  Ｍｅｍｏｒｙ）である。ＲＡＭ３３は、いずれかの利用者に関連付けられた印刷設定初期値３３ａを記憶可能である。ＲＡＭ３３は、印刷設定初期値３３ａ以外にも、印刷設定初期値３３ａに関連付けられた利用者以外のいずれかの利用者に関連付けられた印刷設定初期値を複数記憶可能である。
【００３２】
図３は、制御部３０によって実現される機能の一例を示す図である。
【００３３】
図３に示すように、制御部３０は、印刷設定初期化プログラム２７ａを実行することによって、利用者に関連付けて印刷設定初期値をＲＡＭ３３に登録する印刷設定初期値登録手段３０ａと、印刷データの送信者に関連付けられてＲＡＭ３３に登録されている印刷設定初期値を適用する印刷設定初期値適用手段３０ｂとを実現する。
【００３４】
図４は、コンピューター４０のブロック図である。
【００３５】
図４に示すコンピューター４０は、種々の操作が入力される例えばキーボード、マウスなどの入力デバイスである操作部４１と、種々の情報を表示する例えばＬＣＤなどの表示デバイスである表示部４２と、ＬＡＮ、インターネットなどのネットワーク経由で、または、ネットワークを介さずに有線または無線によって直接に、外部の装置と通信を行う通信デバイスである通信部４３と、各種の情報を記憶する例えば半導体メモリー、ＨＤＤなどの不揮発性の記憶デバイスである記憶部４４と、コンピューター４０全体を制御する制御部４５とを備えている。
【００３６】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００３７】
次に、システム１０の動作について説明する。
【００３８】
まず、電源がＯＮにされた場合の画像形成装置２０の動作について説明する。
【００３９】
図５は、電源がＯＮにされた場合の画像形成装置２０の動作のフローチャートである。
【００４０】
画像形成装置２０の制御部３０は、画像形成装置２０の電源がＯＮにされた場合、すなわち、画像形成装置２０の状態が電力が供給されていない状態から電力が供給されている状態に切り替えられた場合、図５に示す動作を開始する。
【００４１】
図５に示すように、印刷設定初期値登録手段３０ａは、記憶部２７から標準印刷設定初期値２７ｂを取得し（Ｓ１０１）、ＲＯＭ３２から標準印刷設定初期値３２ａを取得する（Ｓ１０２）。
【００４２】
次いで、印刷設定初期値登録手段３０ａは、Ｓ１０１において取得した標準印刷設定初期値２７ｂと、Ｓ１０２において取得した標準印刷設定初期値３２ａとを合わせた印刷設定初期値を、全ての利用者に関連付けてＲＡＭ３３に登録して（Ｓ１０３）、図５に示す動作を終了する。
【００４３】
なお、印刷設定初期値登録手段３０ａは、Ｓ１０３の処理において、印刷設定初期値が全ての利用者に共通であるので、全ての利用者のそれぞれに１つずつ関連付けた複数の印刷設定初期値をＲＡＭ３３に登録するのではなく、全ての利用者に関連付けた１つの印刷設定初期値をＲＡＭ３３に登録する。
【００４４】
次に、特定の利用者に関連付けた印刷設定初期値をコンピューター４０からの印刷設定初期値通知データに基づいてＲＡＭ３３に登録する場合の画像形成装置２０の動作について説明する。
【００４５】
図６は、特定の利用者に関連付けた印刷設定初期値をコンピューター４０からの印刷設定初期値通知データに基づいてＲＡＭ３３に登録する場合の画像形成装置２０の動作のフローチャートである。
【００４６】
コンピューター４０の制御部４５は、画像形成装置２０の電源がＯＮにされたことを通信部４３を介して検知すると、印刷設定初期値を通知するためにプリンター言語で記述された印刷設定初期値通知データを画像形成装置２０に送信する。画像形成装置２０の制御部３０は、印刷設定初期値通知データを受信すると、受信した印刷設定初期値通知データを対象にして図６に示す動作を実行する。
【００４７】
図６に示すように、印刷設定初期値登録手段３０ａは、対象の印刷設定初期値通知データの送信者を特定する（Ｓ１２１）。ここで、印刷設定初期値登録手段３０ａは、対象の印刷設定初期値通知データに送信者の識別情報が含まれている場合には、対象の印刷設定初期値通知データに含まれている、送信者の識別情報によって、対象の印刷設定初期値通知データの送信者を特定することが可能である。また、印刷設定初期値登録手段３０ａは、対象の印刷設定初期値通知データの送信元のコンピューターのインターフェイス情報、すなわち、ポート番号に基づいて、対象の印刷設定初期値通知データの送信者を特定することも可能である。
【００４８】
印刷設定初期値登録手段３０ａは、Ｓ１２１の処理の後、対象の印刷設定初期値通知データに示される印刷設定初期値を、Ｓ１２１において特定した送信者、すなわち、利用者に関連付けてＲＡＭ３３に登録して（Ｓ１２２）、図６に示す動作を終了する。
【００４９】
なお、印刷設定初期値登録手段３０ａは、Ｓ１２２の処理において、利用者に関連付けて印刷設定初期値をＲＡＭ３３に登録した後、この登録より前に、この利用者に関連付けてＲＡＭ３３に登録されている印刷設定初期値に対して、この利用者との関連付けを解除する。例えば、印刷設定初期値登録手段３０ａは、Ｓ１２２の処理において、利用者に関連付けて印刷設定初期値をＲＡＭ３３に登録した後、Ｓ１０３において登録した印刷設定初期値に対して、この利用者との関連付けを解除する。印刷設定初期値登録手段３０ａは、ＲＡＭ３３に登録されている印刷設定初期値に対して利用者との関連付けを解除した結果、この印刷設定初期値に関連付けられている利用者が存在しなくなった場合、この印刷設定初期値をＲＡＭ３３から消去する。
【００５０】
印刷設定初期値登録手段３０ａは、Ｓ１２２の処理において、利用者に関連付けて印刷設定初期値をＲＡＭ３３に登録する場合に、この印刷設定初期値と同一の印刷設定初期値が既にＲＡＭ３３に登録されているとき、この利用者をＲＡＭ３３に既に登録されている印刷設定初期値に新たに関連付けることによって、利用者に関連付けて印刷設定初期値をＲＡＭ３３に登録する。
【００５１】
以上においては、コンピューター４０の制御部４５は、印刷設定初期値通知データを画像形成装置２０に自動で送信している。しかしながら、コンピューター４０の制御部４５は、利用者からの指示に応じて印刷設定初期値通知データを画像形成装置２０に送信しても良い。
【００５２】
次に、特定の利用者に関連付けた印刷設定初期値を操作部２１からの指示に応じてＲＡＭ３３に登録する場合の画像形成装置２０の動作について説明する。
【００５３】
画像形成装置２０の印刷設定初期値登録手段３０ａは、特定の利用者に関連付けた印刷設定初期値をＲＡＭ３３に登録する指示が操作部２１から入力されると、特定の利用者に関連付けた印刷設定初期値を指示に応じてＲＡＭ３３に登録する。なお、印刷設定初期値登録手段３０ａは、特定の利用者に関連付けた印刷設定初期値をＲＡＭ３３に登録する場合に、既にＲＡＭ３３に登録されている印刷設定初期値との関係で、Ｓ１２２の処理と同様の処理を実行する。
【００５４】
次に、印刷データに基づいて印刷を実行する場合の画像形成装置２０の動作について説明する。
【００５５】
図７は、印刷データに基づいて印刷を実行する場合の画像形成装置２０の動作のフローチャートである。
【００５６】
コンピューター４０の制御部４５は、操作部４１を介した指示に応じて、プリンター言語で記述された印刷データを画像形成装置２０に送信する。画像形成装置２０の制御部３０は、印刷データを受信すると、受信した印刷データを対象にして図７に示す動作を実行する。
【００５７】
図７に示すように、印刷設定初期値適用手段３０ｂは、Ｓ１２１の処理と同様に、対象の印刷データの送信者を特定する（Ｓ１４１）。
【００５８】
次いで、印刷設定初期値適用手段３０ｂは、対象の印刷データに初期化コマンドが含まれていると判断するまで、対象の印刷データに初期化コマンドが含まれているか否かを判断する（Ｓ１４２）。
【００５９】
印刷設定初期値適用手段３０ｂは、対象の印刷データに初期化コマンドが含まれているとＳ１４２において判断すると、Ｓ１４１において特定した送信者に関連付けられてＲＡＭ３３に登録されている印刷設定初期値を取得し（Ｓ１４３）、Ｓ１４３において取得した印刷設定初期値を画像形成装置２０に適用する（Ｓ１４４）。
【００６０】
次いで、制御部３０は、対象の印刷データに基づいてプリンター２３によって記録媒体に印刷を実行して（Ｓ１４５）、図７に示す動作を終了する。なお、Ｓ１４５における印刷には、Ｓ１４４において適用された印刷設定初期値が適用される。
【００６１】
以上に説明したように、画像形成装置２０は、通信部２６によって受信された印刷データに基づいてプリンター２３によって記録媒体に印刷が実行される場合に適用される印刷設定初期値を、利用者に関連付けてＲＡＭ３３に登録し（Ｓ１０３およびＳ１２２）、印刷データの送信者に関連付けられてＲＡＭ３３に登録されている印刷設定初期値を適用する（Ｓ１４４）ので、利用者に応じて印刷設定初期値を容易に切り替えることができる。
【００６２】
画像形成装置２０は、ＲＡＭ３３に登録されている印刷設定初期値が何らかの不具合によって変更できなくなった場合であっても、画像形成装置２０の状態を電力が供給されていない状態にすることによって、ＲＡＭ３３に登録されている印刷設定初期値を消去することができるので、利便性を向上することができる。
【００６３】
画像形成装置２０は、電力が供給されていない状態から電力が供給されている状態に切り替えられることによって、利用者に関連付けられた印刷設定初期値をＲＡＭ３３に登録することができる（Ｓ１０３）ので、利用者に関連付けられた印刷設定初期値をＲＡＭ３３に容易に登録することができる。
【００６４】
画像形成装置２０は、印刷設定初期値が複数の利用者に共通である場合、これらの利用者のそれぞれに１つずつ関連付けた複数の印刷設定初期値をＲＡＭ３３に登録するのではなく、これらの利用者に関連付けた１つの印刷設定初期値をＲＡＭ３３に登録する（Ｓ１０３およびＳ１２２）ので、ＲＡＭ３３において全ての利用者の印刷設定初期値の合計のサイズを抑えることができる。
【００６５】
ＤＲＡＭは、ＳＲＡＭや不揮発性の半導体メモリーと比較して安価である。画像形成装置２０は、利用者に関連付けられた印刷設定初期値をＲＡＭ３３としてのＤＲＡＭに登録する場合、利用者に関連付けられた印刷設定初期値をＳＲＡＭや不揮発性の半導体メモリーに登録する構成と比較して、低コストで利用者毎に印刷設定初期値を切り替えることができる。
【００６６】
不揮発性の半導体メモリーは、情報の書き替え回数に制限がある。画像形成装置２０は、利用者に関連付けられた印刷設定初期値をＲＡＭ３３に登録するので、利用者に関連付けられた印刷設定初期値を不揮発性の半導体メモリーに登録する構成とは異なり、利用者に関連付けられた印刷設定初期値を何回でも変更可能である。
【００６７】
ＲＡＭ３３は、記憶部２７と比較して情報の読み書きの速度が速い。画像形成装置２０は、利用者に関連付けられた印刷設定初期値をＲＡＭ３３に登録するので、利用者に関連付けられた印刷設定初期値を記憶部２７に登録する構成と比較して、処理を高速化することができる。
【符号の説明】
【００６８】
２０  画像形成装置
２３  プリンター（印刷デバイス）
２６  通信部（通信デバイス）
２７  記憶部（不揮発性記憶部）
２７ａ  印刷設定初期化プログラム
２７ｂ  標準印刷設定初期値（利用者に関連付けられていない印刷設定の初期値）
３０ａ  印刷設定初期値登録手段
３０ｂ  印刷設定初期値適用手段
３２  ＲＯＭ（不揮発性記憶部）
３２ａ  標準印刷設定初期値（利用者に関連付けられていない印刷設定の初期値）
３３  ＲＡＭ（記憶デバイス）
３３ａ  印刷設定初期値（利用者に関連付けられた印刷設定の初期値）
【図１】
2019081319.tif 000003
【図２】
2019081319.tif 000004
【図３】
2019081319.tif 000005
【図４】
2019081319.tif 000006
【図５】
2019081319.tif 000007
【図６】
2019081319.tif 000008
【図７】
2019081319.tif 000009